(57)【要約】【課題】  複数のページ間で整合した文書データを生成すること。【解決手段】  ＰＣは、キーセンテンスを受け付けるキーセンテンス受付部１１と、キーセンテンスに基づいてページデータを生成するページデータ生成部１７と、ページデータから所定の条件に適合する文字列をキーワードとして抽出するキーワード抽出部２５と、抽出された少なくとも１つのキーワードのうちから選択された１以上を登録キーワードに設定するキーワード設定部２７と、登録キーワードが設定された後に、ページデータ生成部により生成される新たなページデータにおいて、１以上の登録キーワードそれぞれが出現したか否かに基づいて、ページデータ生成部１７により生成された複数のページデータの整合性を判定する判定部３１と、判定部３１により不整合と判定される場合、警告する警告部３７と、を備える。【選択図】        図３
2012146047.tif 000002
【特許請求の範囲】
【請求項１】
外部から入力されるキーセンテンスを受け付けるキーセンテンス受付手段と、
前記受け付けられたキーセンテンスに基づいてページデータを生成するページデータ生成手段と、
前記ページデータ生成手段により生成されるページデータから所定の条件に適合する文字列をキーワードとして抽出するキーワード抽出手段と、
前記キーワード抽出手段により抽出された少なくとも１つのキーワードのうちから選択された１以上を登録キーワードに設定するキーワード設定手段と、
前記登録キーワードが設定された後に、前記ページデータ生成手段により生成される新たなページデータにおいて、前記１以上の登録キーワードそれぞれが出現したか否かに基づいて、前記ページデータ生成手段により生成される複数のページデータの整合性を判定する判定手段と、
前記判定手段により不整合と判定される場合、警告する警告手段と、を備えた編集支援装置。
【請求項２】
前記判定手段は、前記ページデータ生成手段により生成される新たなページデータを構成する所定単位の文字列群ごとに、前記１以上の登録キーワードそれぞれが含まれるか否かを判断する単位別判断手段と、
前記１以上の登録キーワードごとに、該登録キーワードを含まない文字列群が連続する回数をしきい値と比較する比較手段と、を含む請求項１に記載の編集支援装置。
【請求項３】
前記１以上の登録キーワードそれぞれに重要度を設定する重要度設定手段を、さらに備え、
前記比較手段が比較するしきい値は、前記重要度に対して予め定められた値である、請求項２に記載の編集支援装置。
【請求項４】
前記判定手段は、前記登録キーワードが設定された後に、前記ページデータ生成手段により生成される１以上の新たなページデータにおいて、前記１以上の登録キーワードそれぞれが出現したか否かに基づいて、前記ページデータ生成手段により生成される複数のページデータの整合性を判定する、請求項１〜３のいずれかに記載の編集支援装置。
【請求項５】
前記ページデータ生成手段は、前記キーセンテンス受付手段により受け付けられたキーセンテンスから１以上の検索ワードを抽出する検索ワード抽出手段と、
前記抽出された１以上の検索ワードが抽出されると、前記検索ワードを用いてデータベースを検索し、１以上のコンテンツを取得するコンテンツ取得手段と、
前記コンテンツ取得手段により取得された１以上のコンテンツのうちから少なくとも１つをページデータに選択する選択手段と、を含む、請求項１〜４のいずれかに記載の編集支援装置。
【請求項６】
前記キーセンテンス受付手段は、
音声が入力される音声入力手段と、
前記入力された音声を音声認識する音声認識手段と、を含む、請求項１〜５のいずれかに記載の編集支援装置。
【請求項７】
外部から入力されるキーセンテンスを受け付けるステップと、
前記受け付けられたキーセンテンスに基づいてページデータを生成するステップと、
前記生成されるページデータから所定の条件に適合する文字列をキーワードとして抽出するステップと、
前記抽出された少なくとも１つのキーワードのうちから選択された１以上を登録キーワードに設定するステップと、
前記登録キーワードが設定された後に、前記ページデータを生成するステップにおいて生成される新たなページデータにおいて、前記１以上の登録キーワードそれぞれが出現したか否かに基づいて、前記ページデータを生成するステップにおいて生成される複数のページデータの整合性を判定するステップと、
前記判定するステップにおいて不整合と判定される場合、警告するステップと、を含む編集支援方法。
【請求項８】
外部から入力されるキーセンテンスを受け付けるステップと、
前記受け付けられたキーセンテンスに基づいてページデータを生成するステップと、
前記生成されるページデータから所定の条件に適合する文字列をキーワードとして抽出するステップと、
前記抽出された少なくとも１つのキーワードのうちから選択された１以上を登録キーワードに設定するステップと、
前記登録キーワードが設定された後に、前記ページデータを生成するステップにおいて生成される新たなページデータにおいて、前記１以上の登録キーワードそれぞれが出現したか否かに基づいて、前記ページデータを生成するステップにおいて生成される複数のページデータの整合性を判定するステップと、
前記判定するステップにおいて不整合と判定される場合、警告するステップと、をコンピュータに実行させる編集支援プログラム。
【発明の詳細な説明】
【技術分野】
【０００１】
この発明は、編集支援装置、編集支援方法および編集支援プログラムに関し、文書の作成を支援する編集支援装置、その編集支援装置で実行される編集支援方法および編集支援プログラムに関する。
【背景技術】
【０００２】
文書を作成する際に、これまでに蓄積された文書を参考にしながら作成する場合がある。参考とするための文書を蓄積された多くの文書のうちから抽出する技術としては、キーワードを入力してデータベース等を検索する技術が知られている。例えば、特開平１０−４０４０３号公報には、文書ではなく図形を検索する技術であるが、編集途中の図形に対して、編集指示入力部により図形変換指示が入力された場合、図形変換知識管理部は、その選択された図形データを利用者の要求条件として図形変換知識記憶部を検索し、変換候補図形表示部により検索結果を候補図形として提示し、図形変換部は候補図形から利用者が選択し確定した変換後の図形データを取り出して変換前の図形データと合成するようにした図形編集装置が記載されている。
【０００３】
しかしながら、複数ページの文書を作成する際には、文書の作成途中で記載する内容が変化し、記載しなければならない事項が記載されなかったり、内容の展開が主題からそれたものになってしまったりすることがある。通常は、文書の完成後または作成途中で見直す作業によって、文書が完成する。しかしながら、見直し作業をしなければならず、見直しの結果によっては、文書を途中から作成し直さなければならないといった問題がある。
【特許文献１】特開平１０−４０４０３号公報
【発明の概要】
【発明が解決しようとする課題】
【０００４】
この発明は上述した問題を解決するためになされたもので、この発明の目的の１つは、複数のページ間で整合した文書データを生成することが可能な編集支援装置を提供することである。
【０００５】
この発明の他の目的は、複数のページ間で整合した文書データを生成することが可能な編集支援方法を提供することである。
【０００６】
この発明のさらに他の目的は、複数のページ間で整合した文書データを生成することが可能な編集支援プログラムを提供することである。
【課題を解決するための手段】
【０００７】
上述した問題を達成するためにこの発明のある局面によれば、編集支援装置は、外部から入力されるキーセンテンスを受け付けるキーセンテンス受付手段と、受け付けられたキーセンテンスに基づいてページデータを生成するページデータ生成手段と、ページデータ生成手段により生成されるページデータから所定の条件に適合する文字列をキーワードとして抽出するキーワード抽出手段と、キーワード抽出手段により抽出された少なくとも１つのキーワードのうちから選択された１以上を登録キーワードに設定するキーワード設定手段と、登録キーワードが設定された後に、ページデータ生成手段により生成される新たなページデータにおいて、１以上の登録キーワードそれぞれが出現したか否かに基づいて、ページデータ生成手段により生成される複数のページデータの整合性を判定する判定手段と、判定手段により不整合と判定される場合、警告する警告手段と、を備える。
【０００８】
この局面に従えば、キーセンテンスに基づいてページデータが生成され、ページデータからキーワードが抽出され、抽出された少なくとも１つのキーワードのうちから選択された１以上が登録キーワードに設定される。そして、登録キーワードが設定された後に、キーセンテンスに基づいて生成される新たなページデータにおいて、１以上の登録キーワードそれぞれが出現したか否かに基づいて文書データの整合性が判定され、不整合と判定される場合、警告される。このため、過去に生成されたページデータに含まれるキーワードと同じキーワードをこれらか生成されるページデータに含めることができる。その結果、複数のページ間で整合した文書データを生成することが可能な編集支援装置を提供することができる。
【０００９】
好ましくは、判定手段は、ページデータ生成手段により生成される新たなページデータを構成する所定単位の文字列群ごとに、１以上の登録キーワードそれぞれが含まれるか否かを判断する単位別判断手段と、１以上の登録キーワードごとに、該登録キーワードを含まない文字列群が連続する回数をしきい値と比較する比較手段と、を含む。
【００１０】
この局面に従えば、生成される新たなページデータを構成する所定単位の文字列群ごとに、１以上の登録キーワードそれぞれが含まれるか否かが判断され、１以上の登録キーワードごとに、該登録キーワードを含まない文字列群が連続する回数がしきい値と比較される。このため、登録キーワードが所定単位の文字列群で連続して含まれる回数に基づいて、整合性を判断することができるので、複数のページ間の整合を容易に判断することができる。
【００１１】
好ましくは、１以上の登録キーワードそれぞれに重要度を設定する重要度設定手段を、さらに備え、比較手段が比較するしきい値は、重要度に対して予め定められた値である。
【００１２】
好ましくは、判定手段は、登録キーワードが設定された後に、ページデータ生成手段により生成される１以上の新たなページデータにおいて、１以上の登録キーワードそれぞれが出現したか否かに基づいて、ページデータ生成手段により生成される複数のページデータの整合性を判定する。
【００１３】
この局面に従えば、１以上の新たなページデータを、それらより前のページデータと整合させることができる。
【００１４】
好ましくは、ページデータ生成手段は、キーセンテンス受付手段により受け付けられたキーセンテンスから１以上の検索ワードを抽出する検索ワード抽出手段と、抽出された１以上の検索ワードが抽出されると、検索ワードを用いてデータベースを検索し、１以上のコンテンツを取得するコンテンツ取得手段と、コンテンツ取得手段により取得された１以上のコンテンツのうちから少なくとも１つをページデータに選択する選択手段と、を含む。
【００１５】
好ましくは、キーセンテンス受付手段は、音声が入力される音声入力手段と、入力された音声を音声認識する音声認識手段と、を含む。
【００１６】
この局面に従えば、ユーザは、音声でキーセンテンスを入力することができる。
【００１７】
この発明の他の局面によれば、編集支援方法は、外部から入力されるキーセンテンスを受け付けるステップと、受け付けられたキーセンテンスに基づいてページデータを生成するステップと、生成されるページデータから所定の条件に適合する文字列をキーワードとして抽出するステップと、抽出された少なくとも１つのキーワードのうちから選択された１以上を登録キーワードに設定するステップと、登録キーワードが設定された後に、ページデータを生成するステップにおいて生成される新たなページデータにおいて、１以上の登録キーワードそれぞれが出現したか否かに基づいて、ページデータを生成するステップにおいて生成される複数のページデータの整合性を判定するステップと、判定するステップにおいて不整合と判定される場合、警告するステップと、を含む。
【００１８】
この局面に従えば、複数のページ間で整合した文書データを生成することが可能な編集支援方法を提供することができる。
【００１９】
この発明のさらに他の局面に従えば、編集支援プログラムは、外部から入力されるキーセンテンスを受け付けるステップと、受け付けられたキーセンテンスに基づいてページデータを生成するステップと、生成されるページデータから所定の条件に適合する文字列をキーワードとして抽出するステップと、抽出された少なくとも１つのキーワードのうちから選択された１以上を登録キーワードに設定するステップと、登録キーワードが設定された後に、ページデータを生成するステップにおいて生成される新たなページデータにおいて、１以上の登録キーワードそれぞれが出現したか否かに基づいて、ページデータを生成するステップにおいて生成される複数のページデータの整合性を判定するステップと、判定するステップにおいて不整合と判定される場合、警告するステップと、をコンピュータに実行させる。
【００２０】
この局面に従えば、複数のページ間で整合した文書データを生成することが可能な編集支援プログラムを提供することができる。
【図面の簡単な説明】
【００２１】
【図１】本発明の実施の形態における情報処理システムの一例を示す図である。
【図２】ＰＣのハードウエア構成の一例を示すブロック図である。
【図３】ＰＣが備えるＣＰＵが有する機能の概要の一例を示すブロック図である。
【図４】重要度設定画面の一例を示す図である。
【図５】ページデータの一例を示す図である。
【図６】ページデータ中における文別に登録キーワードごとの有無を示すテーブルである。
【図７】編集支援処理の流れの一例を示すフローチャートである。
【図８】整合性判断処理の流れの一例を示すフローチャートである。
【発明を実施するための形態】
【００２２】
以下、本発明の実施の形態について図面を参照して説明する。以下の説明では同一の部品には同一の符号を付してある。それらの名称および機能も同じである。したがってそれらについての詳細な説明は繰り返さない。
【００２３】
図１は、本発明の実施の形態における情報処理システムの一例を示す図である。図１を参照して、情報処理システム１は、編集支援装置として機能するパーソナルコンピュータ（ＰＣ）１００と、ファイルサーバ２０１と、複合機（Ｍｕｌｔｉ  Ｆｕｎｃｔｉｏｎ  Ｐｅｒｉｐｈｅｒａｌ）（以下、「ＭＦＰ」という）２２１と、を含む。ＰＣ１００、ファイルサーバ２０１、ＭＦＰ２２１は、ネットワーク２にそれぞれ接続される。ＭＦＰ２２１は、ＨＤＤを備えており、ファイルサーバとしての機能を有する。また、ＭＦＰ２２１は、スキャナ機能、プリンタ機能、コピー機能、ファクシミリ機能等の複数の機能を備える。
【００２４】
ＭＦＰ２２１およびファイルサーバ２０１には、複数のコンテンツが記憶される。例えば、ファイルサーバ２０１が複数人で共有される場合、複数人がファイルサーバ２０１に記憶させた複数のコンテンツが記憶される。ファイルサーバ２０１は、検索エンジンを備えており、ＰＣ１００からファイルサーバ２０１にキーワードを送信すれば、ファイルサーバ２０１においてファイルサーバ２０１に記憶された複数のコンテンツのうちからキーワードを含むコンテンツが抽出され、抽出された複数のコンテンツがＰＣ１００に送信される。ファイルサーバ２０１が送信する複数のコンテンツは、ファイルサーバ２０１において予め定められた優先順位で並び替えられている。
【００２５】
ネットワーク２は、ローカルエリアネットワーク（ＬＡＮ）であり、接続形態は有線または無線を問わない。ネットワーク２は、ゲートウェイを介してインターネット３に接続されており、ＰＣ１００は、インターネット３に接続された検索サーバ２１１と通信可能である。なお、ネットワーク２は、ＬＡＮに限らず、ワイドエリアネットワーク（ＷＡＮ）、公衆交換電話網（ＰＳＴＮ）等であってもよい。
【００２６】
検索サーバ２１１は、検索エンジンを備えており、インターネット３上に公開されたコンテンツを検索し、検索結果を出力するサービスを提供する。検索サーバ２１１は、検索により抽出したコンテンツを、検索サーバ２１１において予め定められた優先順位で並び替えて、出力する。ＰＣ１００は、検索サーバ２１１にキーワードを送信し、検索サーバ２１１から検索結果として抽出された複数のコンテンツを受信する。
【００２７】
図２は、ＰＣのハードウエア構成の一例を示すブロック図である。図２を参照して、ＰＣ１００は、それぞれがバス１２０に接続されたＣＰＵ１０１と、ＣＰＵ１０１が実行するプログラム等を記憶するためのＲＯＭ（Ｒｅａｄ  Ｏｎｌｙ  Ｍｅｍｏｒｙ）１０３と、ＣＰＵ１０１の作業領域として用いられるＲＡＭ１０５と、大容量記憶装置としてのＨＤＤ１０７と、メモリカード１０８が装着されるカードインターフェース（Ｉ／Ｆ）１０９と、ＰＣ１００をインターネットに接続するための通信Ｉ／Ｆ１１１と、ユーザとのインターフェースとなるユーザインターフェース１１３と、マイクロホン１２１が接続された外部Ｉ／Ｆ１１９と、を含む。
【００２８】
ユーザインターフェース１１３は、キーボードとマウスなどのポインティングデバイスを含む操作部１１５と、画像を表示する液晶表示装置等からなる表示部１１７とを含む。
【００２９】
ＣＰＵ１０１は、ＰＣ１００の全体を制御する。また、ＣＰＵ１０１は、ＲＯＭ１０３に記憶されたプログラムを実行する。また、ＣＰＵ１０１は、カードＩ／Ｆ１０９を介してメモリカード１０８に記憶されたプログラムをＲＡＭ１０５にロードし、実行するようにしてもよい。
【００３０】
さらに、ＣＰＵ１０１がインターネット３に接続されたコンピュータからプログラムをダウンロードしてＨＤＤ１０７に記憶して、または、インターネット３に接続されたコンピュータがプログラムをＨＤＤ１０７に書込みするようにして、ＣＰＵ１０１で実行するようにしてもよい。ここでいうプログラムは、ＣＰＵ１０１により直接実行可能なプログラムだけでなく、ソースプログラム、圧縮処理されたプログラム、暗号化されたプログラム等を含む。
【００３１】
マイクロホン１２１は、ＰＣ１００のユーザが発生する音声を集音し、集音した音声を、外部Ｉ／Ｆ１１９に出力する。外部Ｉ／Ｆ１１９は、マイクロホン１２１から入力される音声を、ＣＰＵ１０１に出力する。
【００３２】
なお、ＣＰＵ１０１が実行するためのプログラムを記憶する記録媒体としては、メモリカード１０８に限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体メモリ等の媒体でもよい。
【００３３】
本実施の形態におけるＰＣ１００は、編集支援装置として機能する。ＰＣ１００は、インターネット上に公開されたコンテンツ、ファイルサーバ２０１またはＭＦＰ２２１に記憶されたコンテンツのうちからＰＣ１００のユーザが所望するコンテンツを収集する。ここでは、ＰＣ１００のユーザがプレゼンテーション用の資料を作成するためのコンテンツを収集する場合を例に説明する。この場合、プレゼンテーションの主題があり、収集するコンテンツは、その主題に関連するコンテンツとなる。
【００３４】
図３は、ＰＣが備えるＣＰＵが有する機能の概要の一例を示すブロック図である。図３に示す機能は、ＣＰＵ１０１がＲＯＭ１０３またはメモリカード１０８に記憶された編集支援プログラムを実行することにより、ＣＰＵ１０１に形成される。
【００３５】
図３を参照して、ＣＰＵ１０１は、外部から入力されるキーセンテンスを受け付けるキーセンテンス受付部１１と、キーセンテンスに基づいてページデータを生成するページデータ生成部１７と、ページデータからキーワードを抽出するキーワード抽出部２５と、登録キーワードを設定するキーワード設定部２７と、登録キーワードに重要度を設定する重要度設定部２９と、文書の整合性を判定する判定部３１と、警告部３７と、を含む。
【００３６】
キーセンテンス受付部１１は、ユーザにより入力されるキーセンテンスを受け付ける。キーセンテンス受付部１１は、受け付けたキーセンテンスをページデータ生成部１７に出力する。キーセンテンスは、１以上の単語を含む文である。キーセンテンス受付部１１は、ユーザが、操作部１１５が有するキーボードまたはマウスでキーセンテンスを入力する場合、操作部１１５に入力されたキーセンテンスを受け付ける。ユーザが、マイクロホン１２１に音声でキーセンテンスを入力する場合、マイクロホン１２１に入力される音声を音声認識することによって、キーセンテンスを受け付ける。具体的には、キーセンテンス受付部１１は、音声入力部１３と、音声認識部１５とを含む。音声入力部１３は、外部Ｉ／Ｆ１１９を介してマイクロホン１２１と接続される。マイクロホン１２１は、ユーザが発生した音声を集音し、アナログの音声データを外部Ｉ／Ｆ１１９に出力する。外部Ｉ／Ｆ１１９は、マイクロホン１２１から入力される音声データをＣＰＵ１０１に出力する、音声入力部１３は、外部Ｉ／Ｆ１１９が出力する音声データが入力され、入力された音声データを音声認識部１５に出力する。音声認識部１５は、音声入力部１３から入力される音声データを解析し、音声認識することによって、音声データを文字情報に変換する。キーセンテンス受付部１１は、音声認識部１５によって音声データから変換された文字情報をキーセンテンスとして受け付ける。
【００３７】
ページデータ生成部１７は、キーセンテンスから検索ワードを抽出する検索ワード抽出部１９と、コンテンツを取得するコンテンツ取得部２１と、取得されたコンテンツのうちから少なくとも１つを選択する選択部２３と、を含む。
【００３８】
検索ワード抽出部１９は、キーセンテンス受付部１１から入力されるキーセンテンスを１以上の単語に分割し、１以上の単語のうちから予め登録された単語を検索ワードとして抽出する。検索ワード抽出部１９は、抽出された１以上の検索ワードをコンテンツ取得部２１に出力する。例えば、キーセンテンス「今後クラウドは普及する」が入力される場合、予め登録された単語である「クラウド」および「普及」を検索ワードとして抽出する。
【００３９】
コンテンツ取得部２１は、検索ワードを用いて検索し、１以上のコンテンツを取得し、取得された１以上のコンテンツを選択部２３に出力する。具体的には、検索ワードを含む検索要求を通信Ｉ／Ｆ１１１を介して検索サーバ２１１に送信する。検索サーバ２１１は、検索要求を受信すると、インターネット３上に公開された膨大な量のコンテンツのうちから検索用キーワードを含む１以上のコンテンツを抽出し、１以上のコンテンツを予め定められた優先順位で並び換えて、ＰＣ１００に返信する。コンテンツ取得部２１は、通信Ｉ／Ｆ１１１が検索サーバ２１１から検索結果である１以上のコンテンツを受信すると、通信Ｉ／Ｆ１１１から１以上のコンテンツを取得する。また、コンテンツ取得部２１は、検索サーバ２１１から受信された１以上のコンテンツを、画像を含むコンテンツを画像を含まないコンテンツよりも優先順位を高くして、並び替える。画像を含むコンテンツは、画像を含まないコンテンツよりも発表用の資料として利用価値が高いからである。
【００４０】
また、コンテンツ取得部２１は、検索ワードを含む検索要求をＭＦＰ２２１に送信するようにしてもよい。ＭＦＰ２２１は、検索要求を受信すると、それが備えるＨＤＤに記憶された複数のコンテンツのうちから検索用キーワードを含む１以上のコンテンツを抽出し、抽出された１以上のコンテンツをＭＦＰ２２１によって予め定められた優先順位で並び換えて、ＰＣ１００に返信する。コンテンツ取得部２１は、通信Ｉ／Ｆ１１１がＭＦＰ２２１から検索結果である１以上のコンテンツを受信すると、通信Ｉ／Ｆ１１１から１以上のコンテンツを取得する。
【００４１】
さらに、コンテンツ取得部２１は、検索ワードを含む検索要求をＭＦＰ２２１および検索サーバ２１１に送信するようにしてもよい。コンテンツ取得部２１は、通信Ｉ／Ｆ１１１がＭＦＰ２２１および検索サーバ２１１それぞれから検索結果である１以上のコンテンツを受信すると、通信Ｉ／Ｆ１１１から１以上のコンテンツを取得する。
【００４２】
選択部２３は、コンテンツ取得部２１から入力される１以上のコンテンツのうち上位３つのコンテンツを表示部１１７に選択可能に表示する。具体的には、選択部２３は、上位３つのコンテンツそれぞれの画像を合成した画像であって、１以上のコンテンツそれぞれに対応する画像を選択可能な選択画像を生成し、生成した選択画像を表示部１１７に表示する。選択画像のサイズが、表示部１１７の表示可能なサイズよりも大きい場合には、選択画像を縮小して表示してもよいし、スクロール可能に表示してもよい。
【００４３】
選択部２３は、ユーザが表示部１１７に表示された選択画像に含まれるコンテンツの画像を指示する操作を操作部１１５に入力すれば、指示された画像に対応するコンテンツをページデータとして選択し、ページデータをキーワード抽出部２５および判定部３１に出力する。コンテンツの選択は、コンテンツの全体の選択であっても良いし、部分的な選択であってもよい。コンテンツが部分的に選択される場合、選択部２３は、コンテンツの選択された部分を切り出し、切り出した部分をページデータとして選択する。
【００４４】
また、ページデータ生成部１７は、ユーザが操作部１１５に入力する文字列を、ページデータに付加する、または、ユーザにより入力された文字列を組み合わせてページデータを生成するようにしてもよい。
【００４５】
ページデータ生成部１７は、選択部２３によって選択されたページデータ、または、ユーザにより入力された文字列からなるページデータを、後述する判定部３１から文書が整合していると判断されることを条件に、そのページデータをＨＤＤ１０７に記憶されている文書データに追加して記憶する。これにより、ＨＤＤ１０７にページデータを含む文書データが記憶される。ページデータ生成部１７は、選択部２３によって選択されたページデータが文書データの第１ページの場合には、第１ページのページデータを含む文書データを生成し、生成した文書データをＨＤＤ１０７に記憶する。
【００４６】
キーワード抽出部２５は、ページデータ生成部１７から入力されるページデータからキーワードを抽出する。ページデータが画像データの場合、ページデータをＯＣＲ（Ｏｐｔｉｃａｌ  Ｃｈａｒａｃｔｅｒ  Ｒｅａｄｅｒ）処理して得られる文字列からキーワードを抽出する。具体的には、ページデータに含まれる文字列を１以上の単語に分割し、１以上の単語のうちから予め定められた条件に適合する単語をキーワードとして抽出する。キーワード抽出部２５は、抽出された１以上のキーワードをキーワード設定部２７に出力する。キーワードを抽出する条件は、ページデータ中に所定数以上含まれる単語、ページデータ中で表題に用いられている単語等である。また、キーワード抽出部２５は、ページデータ生成部１７においてページデータを検索する際に用いた検索ワードをページデータ生成部１７から取得し、検索ワードをキーワードに設定するようにしてもよい。さらに、単語と、その単語から予測される単語とを関連付けた予測キーワードデータベースをＨＤＤ１０７に記憶しておき、ページデータから抽出されたキーワードから予測キーワードデータベースを検索して予測される単語を抽出し、抽出された単語をキーワードとしてキーワード設定部２７に出力するようにしてもよい。
【００４７】
キーワード設定部２７は、キーワード抽出部２５から入力される１以上のキーワードを、登録キーワードに設定する。キーワード設定部２７は、１以上の登録キーワードを判定部３１および重要度設定部２９に出力する。なお、ＲＡＭ１０５の予め定められた領域に、キーワード抽出部２５から入力される１以上のキーワードを記憶するようにし、重要度設定部２９および判定部３１がＲＡＭ１０５に記憶された登録キーワードを読み出すようにしてもよい。
【００４８】
重要度設定部２９は、キーワード設定部２７から入力される１以上の登録キーワードごとに重要度を設定する。重要度設定部２９は、表示部１１７に登録キーワードに重要度を設定するための重要度設定画面を表示し、ユーザが操作部１１５に入力する重要度を、登録キーワードに対応して設定する。重要度設定画面は、１以上の登録キーワードをリスト表示する画面であり、１以上の登録キーワードそれぞれに対応して重要度を設定するための領域を含む。重要度設定画面にリスト表示された１以上の登録キーワードを選択する操作と、重要度を入力する操作とを受け付けると、選択された登録キーワードに対応して入力された重要度を設定する。重要度設定部２９は、登録キーワードに設定された重要度を判定部３１に出力する。
【００４９】
図４は、重要度設定画面の一例を示す図である。重要度設定画面ここでは、３つの登録キーワード３０３，３０５，３０７と、３つの登録キーワードそれぞれの右側に重要度を設定する領域３０３Ａ，３０５Ａ，３０７Ａとを含む。登録キーワード３０３は「ＫＭ」が設定され、領域３０３Ａに「重要度１」が設定され、登録キーワード３０５は「高画質」が設定され、領域３０５Ａに「重要度３」が設定され、登録キーワード３０７は「他社」が設定され、領域３０７Ａに「重要度２」が設定される。重要度は、登録キーワードの程度を示し、重要度が高いほど重要なキーワードであることを示す。ここでは、重要度１、重要度２、重要度３の順に重要度が高い。
【００５０】
図３に戻って、判定部３１は、ページデータ生成部１７からページデータが入力され、キーワード設定部２７から登録キーワードが入力され、重要度設定部２９から登録キーワードごとの重要度が入力される。判定部３１は、ページデータにおける登録キーワードの出現回数に基づいて、複数のページデータで構成される文書の整合性を判定する。具体的には、判定部３１は、単位別判断部３３と、比較部３５とを含む。単位別判断部３３は、ページデータ生成部１７から入力される第Ｎページのページデータを構成する複数の所定単位の文字列群ごとに、該文字列郡がキーワード設定部２７から入力される１以上の登録キーワードを含むか否か判断する。所定単位は、予め定められた単位であり、文字数によって定めてもよいし、行数によって定めてもよいし、文の数によって定めてもよい。ここでは、所定単位を１文とする場合を例に説明し、以下、ページデータを構成する複数の所定単位の文字列群を、複数の文という。
【００５１】
単位別判断部３３にキーワード設定部２７から入力される登録キーワードは、キーワード抽出部２５によって第（Ｎ−１）ページのページデータから抽出されたキーワードに含まれる。ただし、Ｎは２以上の整数である。なお、単位別判断部３３が有無を判断する登録キーワードは、処理対象とする第Ｎページのページデータより１つ前の第（Ｎ−１）ページのページデータからキーワード抽出部２５によって抽出されたキーワードとするようにしたが、文書の最初の第１ページのページデータからキーワード抽出部２５によって抽出されたキーワードとするようにしてもよいし、第（Ｎ−１）ページより前の（Ｎ−１）ページのページデータのすべてからキーワード抽出部２５によって抽出されたキーワードとするようにしてもよい。単位別判断部３３は、所定単位の複数の文字列群別に、１以上の登録キーワードごとの有無を比較部３５に出力する。また、登録キーワードを抽出する範囲は、ページデータ単位とするのではなく、ユーザが指定した範囲とするようにしてもよい。例えば、文書データが複数の章で構成される場合、ユーザが指定した章を登録キーワードを抽出する範囲としてもよい。また、後述する整合性の判断する対象となるページデータが含まれる章よりも１以上前の章のうちから予め定められた章、例えば、直前の章、第１章等を、登録キーワードを抽出する範囲としてもよい。
【００５２】
比較部３５は、単位別判断部３３から所定単位の複数の文字列群別に、１以上の登録キーワードごとの有無が入力され、重要度設定部２９から１以上の登録キーワードそれぞれに対応する重要度が入力される。比較部３５は、単位別判断部３３から入力される所定単位の複数の文字列群別の１以上の登録キーワードごとの有無に基づいて、１以上の登録キーワードごとに、該登録キーワードを含まない文字列群が連続する回数の最大値を算出し、算出された値を、予め定められたしきい値と比較する。しきい値は、重要度に対応して予め定められた値である。比較部３５は、登録キーワードを含まない文字列群が連続する回数の最大値がしきい値以上ならば文書データが整合していないと判断し、しきい値より小さければ文書データが整合していると判断する。比較部３５は、文書データが整合していないと判断する場合、警告部３７に警告指示を出力する。警告指示は、文書データが整合していないと判断した登録キーワードと重要度との組を含む。
【００５３】
比較部３５が、登録キーワードを含まない文字列群が連続する回数の最大値を算出する範囲は、処理対象とするページデータ単位としてもよいし、ユーザが指定した範囲としてもよい。特に、文書データが複数の章で構成される場合は、比較部３５は、ページデータが生成されるごとに、そのページデータが含まれる章と同じ章のすべてのページデータを範囲として登録キーワードを含まない文字列群が連続する回数の最大値を算出する。このため、ユーザが文書データを生成している途中で、整合しているか否かを判断することができる。なお、以下の説明では、比較部３５が、登録キーワードを含まない文字列群が連続する回数の最大値を算出する範囲は、処理対象とするページデータ単位として説明する。この場合には、ユーザが文書データを生成している途中で、ページデータを生成するごとに、ページデータが前のページデータと整合しているか否かを判断することができる。
【００５４】
重要度が「重要度３」に対して、しきい値は、複数の文字列群の数と同じ値である。換言すれば、そのページデータ中に含まれてなければ文書データに整合しないと判断し、ページデータ中に１つでも含まれていれば文書データに整合していると判断する。重要度が「重要度２」に対して、しきい値は「４」である。換言すれば、そのページデータ中で連続する４つ以上の文字列群に登録キーワードが含まれていない場合に、文書データに整合していないと判断し、登録キーワードを含まない文字列群が連続する数が３以下ならば文書データに整合していると判断する。重要度が「重要度１」に対して、しきい値は「１」である。換言すれば、そのページデータ中のすべての文字列群に登録キーワードが含まれていない場合に、文書データに整合していないと判断し、すべての文字列群に登録キーワードが含まれていれば文書データに整合していると判断する。
【００５５】
警告部３７は、比較部３５から警告指示が入力されると、文書データが整合していないことをユーザに通知する。具体的には、表示部１１７にメッセージを表示する。メッセージは、警告指示に含まれる登録キーワードと重要度とを含む。また、メッセージを音声合成して音声で通知するようにしてもよい。
【００５６】
図５は、ページデータの一例を示す図である。図５を参照して、ページデータは、それぞれが「ＫＭ機は」で始まる第１文〜第４文の４つの文を含む。
【００５７】
図６は、ページデータ中における文別に登録キーワードごとの有無を示すテーブルである。図６を参照して、テーブルは、図５に示したページデータ中における４つの文別に３つの登録キーワードごとの有無を示す。より詳細には、テーブルは、第１〜第４文ごとに、登録キーワード「ＫＭ」、「高画質」および「他社」それぞれが含まれる場合に「０」を、含まれない場合に「１」を示す。最大値のレコードは、登録キーワード「ＫＭ」、「高画質」および「他社」ごとに、登録キーワードを含まない文が連続する回数の最大値を示している。図５に示すページデータにおいて、登録キーワード「ＫＭ」を含まない文が連続する回数の最大値は「０」であり、登録キーワード「高画質」を含まない文が連続する回数の最大値は「３」であり、登録キーワード「他社」を含まない文が連続する回数の最大値は「４」である。登録キーワード「ＫＭ」、「高画質」および「他社」それぞれに対する重要度は、「重要度１」、「重要度３」および「重要度２」である。登録キーワード「ＫＭ」を含まない文が連続する回数の最大値「０」は「重要度１」に対するしきい値「１」より小さく、登録キーワード「高画質」を含まない文が連続する回数の最大値「３」は「重要度３」に対するしきい値「４」より小さい。したがって、登録キーワード「ＫＭ」および「高画質」に対しては、文書データは整合していると判断される。一方、登録キーワード「他社」を含まない文が連続する回数の最大値「４」は重要度「重要度２」に対するしきい値「３」より大きい。したがって、登録キーワード「他社」に対しては、文書データは整合していないと判断され、登録キーワード「他社」と重要度「重要度２」とを含むメッセージ、例えば「重要度２のキーワード「他社」が使われていません。」を表示部１１７が表示される。
【００５８】
図７は、編集支援処理の流れの一例を示すフローチャートである。編集支援処理は、ＣＰＵ１０１がＲＯＭ１０３またはメモリカード１０８に記憶された編集支援プログラムを実行することにより、ＣＰＵ１０１により実行される処理である。図７を参照して、ＣＰＵ１０１は、変数Ｎを初期化するために、変数Ｎに「１」を設定する(ステップＳ０１)。変数Ｎは、処理対象とするページデータのページ番号を特定するための値である。
【００５９】
次のステップＳ０２においては、キーセンテンスを受け付けたか否かを判断する（ステップＳ０２）。キーセンテンスを受け付けたならば処理をステップＳ０３に進めるが、そうでなければ処理をステップＳ０９に進める。ステップＳ０９においては、本文を受け付けたか否かを判断する。ページデータの文字列を構成する本文を受け付けたならば処理をステップＳ１０に進めるが、そうでなければ処理をステップＳ１９に進める。ステップＳ１０においては、本文として受け付けられた文字列を第Ｎページのページデータに設定し、処理をステップＳ１１に進める。
【００６０】
ステップＳ０３においては、キーセンテンスから検索ワードを抽出する。キーセンテンスは、１以上の単語を含む文であり、その文から検索ワードとして予め登録された単語に該当するものを抽出する。
【００６１】
ステップＳ０４においては、ステップＳ０３において抽出された検索ワードで検索し、コンテンツを取得する。具体的には、検索ワードを含む検索要求を通信Ｉ／Ｆ１１１を介して検索サーバ２１１に送信する。検索サーバ２１１は、検索要求を受信すると、インターネット３上に公開された膨大な量のコンテンツのうちから検索ワードを含む１以上のコンテンツを抽出し、１以上のコンテンツを予め定められた優先順位で並び換えて、ＰＣ１００に返信する。そして、通信Ｉ／Ｆ１１１が検索サーバ２１１から検索結果である１以上のコンテンツを受信すると、通信Ｉ／Ｆ１１１から１以上のコンテンツを取得する。なお、検索ワードを含む検索要求をファイルサーバ２０１またはＭＦＰ２２１に送信するようにしてもよい。この場合は、ファイルサーバ２０１またはＭＦＰ２２１から送信されるコンテンツを取得する。
【００６２】
次のステップＳ０５においては、検索サーバ２１１から取得されたコンテンツの優先順位が上位から３つのコンテンツを抽出する。そして、３つのコンテンツを１画面で表示する（ステップＳ０６）。次のステップＳ０７においては、３つのコンテンツのいずれかを選択する操作を受け付けたか否かを判断する。３つのコンテンツのいずれかを選択する操作を受け付けたならば、処理をステップＳ０８に進めるが、そうでなければ処理をステップＳ０２に戻す。
【００６３】
処理がステップＳ０８に進む場合、ステップＳ０２において受け付けられたキーセンテンスに基づいて抽出された３つのコンテンツのうちから１つがユーザにより選択される。ステップＳ０８においては、ステップＳ０７において選択されたコンテンツを第Ｎページのページデータに設定し、処理をステップＳ１１に進める。
【００６４】
ステップＳ１１においては、第Ｎページのページデータからキーワードを抽出する。第Ｎページのページデータが予めキーワードとして定められた単語を複数含む場合には、複数のキーワードを抽出する。次のステップＳ１２においては、変数Ｎが「２」以上か否かを判断する。変数Ｎが２以上ならば処理をステップＳ１３に進めるが、そうでなければ処理をステップＳ１５に進める。換言すれば、処理対象とするページデータが第１ページならばステップＳ１３〜ステップＳ１４の処理を実行しないが、処理対象とするページデータが第２ページ以降ならばステップＳ１３〜ステップＳ１４の処理を実行する。
【００６５】
まず、変数Ｎが「１」で処理対象とするページデータが第１ページの場合の処理を説明する。ステップＳ１５において、ステップＳ１１において抽出されたキーワードを登録キーワードに設定する。次ぎに、重要度設定指示を受け付けたか否かを判断する（ステップＳ１６）。重要度設定指示を受け付けたならば処理をステップＳ１７に進めるが、そうでなければステップＳ１７をスキップして、処理をステップＳ１８に進める。ステップＳ１７においては、図４に示した重要度設定画面を表示部１１７に表示し、ユーザが操作部１１５に入力する操作に従って、登録キーワードに対応する重要度を設定する。なお、ステップＳ１６において、重要度設定指示を受け付けない場合は、登録キーワードに対応する重要度を、デフォルトの値に設定し、処理をステップＳ１８に進める。ここでは、重要度のデフォルトの値を「重要度２」としている。
【００６６】
ステップＳ１８においては、変数Ｎをそれに１を加算した値に設定し、処理をステップＳ１９に進める。ステップＳ１９においては、終了指示を受け付けたか否かを判断する。終了指示を受け付けたならば処理をステップＳ２０に進めるが、そうでなければ処理をステップＳ０２に戻す。操作部１１５が備える終了指示が予め割り当てられたキーをユーザが押下すると、終了指示を受け付ける。
【００６７】
次に、ステップＳ１２において、処理対象となるページデータが第２ページ以降と判断された場合の処理について説明する。処理がステップＳ１２に進む場合、第（Ｎ−１）ページのページデータを処理対象として、ステップＳ１５〜ステップＳ１７が実行され、登録キーワードと重要度とが設定されている。ステップＳ１２およびステップＳ１３の処理は、第（Ｎ−１）ページのページデータに基づいて設定された登録キーワードと重要度とを用いる。
【００６８】
ステップＳ１２において、変数Ｎが２以上と判断される場合は、ステップＳ１３において、整合性判断処理を実行し、処理をステップＳ１４に進める。整合性判断処理の詳細は後述するが、処理対象となる第Ｎページのページデータに含まれるキーワードに基づいて、第Ｎページのページデータが、前のページページデータと整合しているか否かを判断する処理である。
【００６９】
ステップＳ１４においては、ステップＳ１３において実行された整合性判断処理の結果によって処理を分岐させる。整合性判断処理の結果が、整合していることを示す場合は処理をステップＳ１５に進め、整合していないことを示す場合は処理をステップＳ２１に進める。ステップＳ２２においては、警告して処理をステップＳ０２に戻す。警告の具体例は、整合していないと判断された登録キーワードと重要度とを含むメッセージを表示部１１７に表示する。
【００７０】
図８は、整合性判断処理の流れの一例を示すフローチャートである。整合性判断処理は、図７のステップＳ１３において実行される処理であり、第Ｎページのページデータを処理対象とする。図８を参照して、ＣＰＵ１０１は、第（Ｎ−１）ページのページデータから抽出された登録キーワードのうちから１つを選択する（ステップＳ３１）。そして、変数Ｍ、Ｃを初期化するために、変数Ｍに「１」を設定し、変数Ｃに「０」を設定する（ステップＳ３２）。変数Ｍは、処理対象とする第Ｎページのページデータに含まれる文の番号を示す値である。変数Ｃは、登録キーワードが含まれない文が連続する数をカウントするための変数である。
【００７１】
ステップＳ３３においては、第Ｍ文に登録キーワードが含まれるか否かを判断する。第Ｍ文に登録キーワードが含まれるならば処理をステップＳ３４に進め、そうでなければ処理をステップＳ３５に進める。ステップＳ３４においては、変数Ｃに「０」を設定し、処理をステップＳ３６に進める。一方、ステップＳ３５においては、変数Ｃをそれに「１」を加算した値に設定し、処理をステップＳ３６に進める。
【００７２】
ステップＳ３６においては、処理対象とする第Ｎページのページデータ中に、いまだ選択されていない文が存在するか否かを判断する。未処理の文が存在するならば処理をステップＳ３７に進めるが、そうでなければ処理をステップＳ３８に進める。ステップＳ３７においは、変数Ｍをそれに「１」を加算した値に設定し、処理をステップＳ３３に戻す。
【００７３】
ステップＳ３８においては、登録キーワードに対応する重要度を取得する。そして、取得された重要度に対応して予め定められたしきい値を取得する（ステップＳ３９）。次のステップＳ４０においては、変数Ｃがしきい値以上か否かを判断する。変数Ｃがしきい値以上ならば処理をステップＳ４１に進めるが、そうでなければ処理をステップＳ４２に進める。ステップＳ４１においては、返り値に「不整合」を設定し、処理を編集支援処理に戻す。
【００７４】
ステップＳ４２においては、登録キーワードのうちに、処理対象としていない登録キーワードが存在するか否かを判断する。未処理の登録キーワードが存在しなければ処理をステップＳ４４に進めるが、存在すれば処理をステップＳ４３に進める。ステップＳ４３においては、次の登録キーワードを選択し、処理をステップＳ３２に戻す。一方、ステップＳ４４においては、返り値に「整合」を設定し、処理を編集支援処理に戻す。
【００７５】
以上説明したように、本実施の形態におけるＰＣは、編集支援装置として機能し、ユーザが入力したキーセンテンスに基づいてページデータを生成し、生成された１以上のページデータを含む文書データを生成し、ＨＤＤ１０７に記憶する。キーセンテンスに基づいてインターネットなどを検索して得られるコンテンツをページデータに設定するので、文書データを容易に生成することができる。また、文書データを生成する過程において、生成されたページデータからキーワードを抽出して登録キーワードに設定する。そして、次にキーセンテンスに基づいて生成される新たなページデータにおいて、登録キーワードが出現したか否かに基づいて文書データの整合性を判定し、不整合と判定される場合、警告する。このため、過去に生成されたページデータに含まれるキーワードと同じキーワードをこれらか生成されるページデータに含めることができる。その結果、文書データに含まれる複数のページ間を整合させることができる。
【００７６】
さらに、生成される新たなページデータを構成する複数の文（所定単位の文字列群）ごとに、登録キーワードが含まれるか否かを判断し、登録キーワードを含まない文が連続する回数をしきい値と比較することによって、整合性を判断する。このため、複数のページ間の整合を容易に判断することができる。
【００７７】
さらに、登録キーワードに重要度を設定し、登録キーワードを含まないページが連続する数が、重要度に対して予め定められたしきい値以上ならば整合していないと判断する。このため、整合しているか否かを容易に判断することができる。
【００７８】
さらに、登録キーワードが設定された後に、生成される１以上の新たなページデータにおいて、１以上の登録キーワードそれぞれが出現したか否かに基づいて、複数のページデータからなる文書データの整合性を判定する。たとえば、文書データが複数の章で構成される場合、登録キーワードを抽出する章を、新たに生成されるページデータが属する章より前の章のうちからユーザが選択する場合、ユーザが選択した章とこれから生成する章とを整合させることができる。また、登録キーワードを抽出する章を、新たに生成されるページデータが属する章の直前の章、または最初の第１章に自動的に設定するようにしてもよい。
【００７９】
さらに、新たなページデータが生成される場合、新たなページデータよりも１つ前に生成されたページデータから抽出されたキーワードで登録キーワードを更新し、新たなページデータにおいて、登録キーワードが出現したか否かに基づいて、文書データの整合性を判定するようにしてもよい。この場合、ページデータを１つ前のページデータを整合させることができ、総合的に、文書データ全体を整合させることができる。
【００８０】
なお、上述した実施の形態においては、編集支援装置の一例としてＰＣ１００を説明したが、図７および図８に記載した処理をＰＣ１００に実行させる編集支援方法またはその編集支援方法をＰＣ１００を制御するＣＰＵ１０１に実行させるための編集支援プログラムとして発明を捉えることができるのは言うまでもない。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８２】
＜付記＞
（１）  前記キーワード設定手段は、前記ページデータ生成手段により生成される新たなページデータが生成される場合、前記新たなページデータよりも１つ前に生成されたページデータから抽出されたキーワードで、前記登録キーワードを更新し、
前記判定手段は、前記ページデータ生成手段により生成される新たなページデータにおいて、前記１以上の登録キーワードそれぞれが出現したか否かに基づいて、前記ページデータ生成手段により生成される複数のページデータの整合性を判定する、請求項１〜３のいずれかに記載の編集支援装置。
【００８３】
この局面に従えば、１以上の新たなページデータを、それらより前のページデータと整合させることができる。
【符号の説明】
【００８４】
１  情報処理システム、２  ネットワーク、３  インターネット、１１  キーセンテンス受付部、１３  音声入力部、１５  音声認識部、１７  ページデータ生成部、１９  検索ワード抽出部、２１  コンテンツ取得部、２３  選択部、２５  キーワード抽出部、２７  キーワード設定部、２９  重要度設定部、３１  判定部、３３  単位別判別部、３５  比較部、３７  警告部、１００  ＰＣ、１０１  ＣＰＵ、１０３  ＲＯＭ、１０５  ＲＡＭ、１０７  ＨＤＤ、１０８  メモリカード、１０９  カードＩ／Ｆ、１１１  通信Ｉ／Ｆ、１１３  ユーザインターフェース、１１５  操作部、１１７  表示部、１１９  外部Ｉ／Ｆ、１２０  バス、１２１  マイクロホン、２０１  ファイルサーバ、２１１  検索サーバ。
【図１】
2012146047.tif 000003
【図２】
2012146047.tif 000004
【図３】
2012146047.tif 000005
【図４】
2012146047.tif 000006
【図５】
2012146047.tif 000007
【図６】
2012146047.tif 000008
【図７】
2012146047.tif 000009
【図８】
2012146047.tif 000010